(57)【要約】【課題】クレードルを用いて充電以外の情報転送の操作も容易に行うことができる携帯型記録再生装置及び記録再生方法を提供する。【解決手段】外部の電源装置Ｃから直流電流を受け、これを内蔵のバッテリに充電して各部に補給する電源部３５と、コンテンツ情報の取得を指示する指示信号を外部の電源装置から入力する入力部３６と、コンテンツ情報を記録領域に記録する記録部２５と、コンテンツ情報を取得すべく外部装置ＰＣと通信を行う通信部３３，３７と、入力部から指示信号を受けると、通信部を介して外部装置に転送要求を行いコンテンツ情報を取得し記録部に記録し更に読み出して再生するべく制御する制御部２４とを有する携帯型記録再生装置。【選択図】図１
2006114120.tif 000002
【特許請求の範囲】
【請求項１】
外部の電源装置から直流電流を受け、これを内蔵のバッテリに充電して各部に補給する電源部と、
コンテンツ情報の取得を指示する指示信号を前記外部の電源装置から入力する入力部と、
前記コンテンツ情報を記録領域に記録する記録部と、
外部装置と通信を行う通信部と、
前記入力部から前記指示信号を受けると、前記通信部を介して前記外部装置に転送要求を行い前記コンテンツ情報を取得し、前記記録部に記録し、更に読み出して再生するべく制御する制御部とを具備することを特徴とする携帯型記録再生装置。
【請求項２】
前記指示信号は、前記外部装置の光ディスクドライブから前記コンテンツ情報の取得を指示することを特徴とする請求項１記載の携帯型記録再生装置。
【請求項３】
前記指示信号は、前記外部装置に内蔵するハードディスクドライブから前記コンテンツ情報の取得を指示することを特徴とする請求項１記載の携帯型記録再生装置。
【請求項４】
前記制御部は、前記外部装置の光ディスクドライブ中、又は、ハードディスクドライブ中の、前記コンテンツ情報の取得先のディレクトリと、前記取得したコンテンツ情報の前記記録部における記録先のディレクトリとを予め設定しておくことにより、前記指示信号を受けると、ユーザのそれ以上の指示を受けることなく、自動的に前記コンテンツ情報を取得し記録するべく制御することを特徴とする請求項１記載の携帯型記録再生装置。
【請求項５】
前記制御部は、前記携帯型記録再生装置の本体に設けられたスイッチを押下することで、前記通信部を介して前記外部装置に転送要求を行い前記コンテンツ情報を取得し、前記記録部に記録し、更に読み出して再生するべく制御することを特徴とする請求項１記載の携帯型記録再生装置。
【請求項６】
前記制御部は、前記指示信号を受けると、前記通信部を介して前記外部装置に転送要求を行い前記コンテンツ情報のみではなく、前記コンテンツ情報に関する情報も、前記外部装置がネットワークを用いて取得させて転送させるべく制御することを特徴とする携帯型記録再生装置。
【請求項７】
前記制御部が前記外部装置に要求する前記コンテンツ情報は、音声情報又はビデオ情報であることを特徴とする請求項１記載の携帯型記録再生装置。
【請求項８】
交流電流を変換して直流電流を供給する変換部と、
コンテンツ情報の取得を指示する指示信号を生成するスイッチ部とを有する電源装置と、
前記電源装置に着脱可能に格納される本体を有する携帯型記録再生装置であって、
前記電源装置の変換部から前記直流電流を受け、これを内蔵のバッテリに充電して各部に補給する電源部と、
前記電源装置のスイッチ部から供給された前記指示信号を入力する入力部と、
前記コンテンツ情報を記録領域に記録する記録部と、
外部装置と通信を行う通信部と、
前記入力部から前記指示信号を受けると、前記通信部を介して前記外部装置に転送要求を行い前記コンテンツ情報を取得し、前記記録部に記録し、更に読み出して再生するべく制御する制御部とを有する携帯型記録再生装置と、
を具備することを特徴とする記録再生システム。
【請求項９】
前記指示信号は、前記外部装置の光ディスクドライブから前記コンテンツ情報の取得を指示することを特徴とする請求項８記載の記録再生システム。
【請求項１０】
前記指示信号は、前記外部装置に内蔵するハードディスクドライブから前記コンテンツ情報の取得を指示することを特徴とする請求項８記載の記録再生システム。
【請求項１１】
前記制御部は、前記外部装置の光ディスクドライブ中、又は、ハードディスクドライブ中の、前記コンテンツ情報の取得先のディレクトリと、前記取得したコンテンツ情報の前記記録部における記録先のディレクトリとを予め設定しておくことにより、前記指示信号を受けると、ユーザのそれ以上の指示を受けることなく、自動的に前記コンテンツ情報を取得し記録するべく制御することを特徴とする請求項８記載の記録再生システム。
【請求項１２】
前記通信部の前記記録再生装置と前記外部装置との通信は、前記電源装置が有する中継部を経由して行われることを特徴とする請求項８記載の記録再生システム。
【請求項１３】
前記通信部の前記記録再生装置と前記外部装置との通信は、前記電源装置を経由することなく、前記記録再生装置と前記外部装置との間で直接行われることを特徴とする請求項８記載の記録再生システム。
【請求項１４】
コンテンツ情報を記録する光ディスクドライブ部又はハードディスクドライブ部と、通信機能とを有する記録装置と、
前記記録装置からの信号を中継する中継部と、交流電流を変換して直流電流を供給する変換部と、コンテンツ情報の取得を指示する指示信号を生成するスイッチ部とを有する電源装置と、
前記電源装置に着脱可能に格納される本体を有する携帯型記録再生装置であって、
前記電源装置の変換部から前記直流電流を受け、これを内蔵のバッテリに充電して各部に補給する電源部と、
前記電源装置のスイッチ部から供給された前記指示信号を入力する入力部と、
前記コンテンツ情報を記録領域に記録する記録部と、
前記コンテンツ情報を取得すべく、前記電源装置の前記中継部を中継して、記録装置と通信を行う通信部と、
前記入力部から前記指示信号を受けると、前記通信部及び前記中継部を介して前記記録装置と通信を行って転送要求を行い前記コンテンツ情報を取得し、前記記録部に記録し、更に読み出して再生するべく制御する制御部と、
を有する携帯型記録再生装置とを具備することを特徴とする記録再生システム。
【請求項１５】
前記制御部は、前記電源装置の前記スイッチ部が有する第１のスイッチが押下された場合は、前記通信部と前記中継部とを介して、前記記録装置の前記光ディスクドライブから前記コンテンツ情報を取得するべく制御し、前記電源装置の前記スイッチ部が有する第２のスイッチが押下された場合は、前記通信部と前記中継部とを介して、前記記録装置の前記ハードディスクドライブ部から前記コンテンツ情報を取得するべく制御することを特徴とする請求項１４記載の記録再生システム。
【請求項１６】
外部の電源装置から直流電流を受け、これを内蔵のバッテリに充電して各部に補給する電源部と、コンテンツ情報の取得を指示する指示信号を、前記外部の電源装置から入力する入力部と、前記コンテンツ情報を記録領域に記録する記録部と、前記コンテンツ情報を取得すべく外部装置と通信を行う通信部とを有する携帯型記録再生装置に対して、
前記入力部から前記指示信号を受けると、前記通信部を介して前記外部装置に転送要求を行い前記コンテンツ情報を取得し、前記記録部に記録し、更に読み出して再生するべく制御することを特徴とする記録再生方法。
【請求項１７】
前記外部装置の光ディスクドライブ中、又は、ハードディスクドライブ中の、前記コンテンツ情報の取得先のディレクトリと、前記取得したコンテンツ情報の前記記録部における記録先のディレクトリとを予め設定しておくことにより、前記指示信号を受けると、ユーザのそれ以上の指示を受けることなく、自動的に前記コンテンツ情報を取得し記録するべく制御することを特徴とする請求項１６記載の記録再生方法。
【請求項１８】
交流電流を変換して直流電流を供給する変換部と、コンテンツ情報の取得を指示する指示信号を生成するスイッチ部とを有する電源装置と、
前記電源装置に着脱可能に格納される本体を有する携帯型記録再生装置であって、前記電源装置の変換部から前記直流電流を受け、これを内蔵のバッテリに充電して各部に補給する電源部と、前記電源装置のスイッチ部から供給された前記指示信号を入力する入力部と、前記コンテンツ情報を記録領域に記録する記録部と、前記コンテンツ情報を取得すべく外部装置と通信を行う通信部とを有する携帯型記録再生装置とを具備した記録再生システムに対して、
前記携帯型記録再生装置において、前記入力部から前記指示信号を受けると、前記通信部を介して前記外部装置に転送要求を行い前記コンテンツ情報を取得し、前記記録部に記録し、更に読み出して再生するべく制御することを特徴とする記録再生方法。
【請求項１９】
前記外部装置の光ディスクドライブ中、又は、ハードディスクドライブ中の、前記コンテンツ情報の取得先のディレクトリと、前記取得したコンテンツ情報の前記記録部における記録先のディレクトリとを予め設定しておくことにより、前記指示信号を受けると、ユーザのそれ以上の指示を受けることなく、自動的に前記コンテンツ情報を取得し記録するべく制御することを特徴とする請求項１８記載の記録再生方法。
【請求項２０】
コンテンツ情報を記録する光ディスクドライブ部又はハードディスクドライブ部と、通信機能とを有する記録装置と、
前記記録装置からの信号を中継する中継部と、交流電流を変換して直流電流を供給する変換部と、コンテンツ情報の取得を指示する指示信号を生成するスイッチ部とを有する電源装置と、
前記電源装置に着脱可能に格納される本体を有する携帯型記録再生装置であって、前記電源装置の変換部から前記直流電流を受け、これを内蔵のバッテリに充電して各部に補給する電源部と、前記電源装置のスイッチ部から供給された前記指示信号を入力する入力部と、前記コンテンツ情報を記録領域に記録する記録部と、前記コンテンツ情報を取得すべく、前記電源装置の前記中継部を中継して、記録装置と通信を行う通信部とを有する携帯型記録再生装置とを具備した記録再生システムに対して、
前記携帯型記録再生装置において、前記入力部から前記指示信号を受けると、前記通信部及び前記中継部を介して前記記録装置と通信を行って転送要求を行い前記コンテンツ情報を取得し、前記記録部に記録し、更に読み出して再生するべく制御することを特徴とする記録再生方法。
【発明の詳細な説明】
【技術分野】
【０００１】
この発明は、携帯型記録再生装置に関し、特に、クレードルを用いる携帯型記録再生装置及び記録再生方法に関する。
【背景技術】
【０００２】
最近、オーディオ情報等をデジタルデータで処理することが一般化してきており、特に、携帯型記録再生装置が製造され普及してきつつある。このような携帯型記録再生装置においては、音楽を手軽に鑑賞することができ、又、オーディオ情報もファイル単位で操作できるため、従来装置に比べてアクセス性が飛躍的に向上している。
【０００３】
特許文献１は、このような携帯型記録再生装置の動作を詳細に説明したものであり、パーソナルコンピュータと連携して大量のオーディオ情報等を手軽に扱うことができる。
【特許文献１】特開２００１−１８９０５０号公報。
【発明の開示】
【発明が解決しようとする課題】
【０００４】
しかし、従来の携帯型記録再生装置は、使用に当たって常に頻繁な充電を必要としており、充電のための煩雑な操作を容易にすることが課題とされている。このための冶具として、クレードル（cradle）が知られており、外出から戻ったら携帯型記録再生装置をクレードルに収めておけば、最適な充電操作がなされている。
【０００５】
本発明は、クレードルを用いて充電以外の情報転送の操作も容易に行うことができる携帯型記録再生装置及び記録再生方法を提供することを目的とする。
【課題を解決するための手段】
【０００６】
上記目的に応じて、本発明の一実施形態は、外部の電源装置から直流電流を受け、これを内蔵のバッテリに充電して各部に補給する電源部と、コンテンツ情報の取得を指示する指示信号を、前記外部の電源装置から入力する入力部と、前記コンテンツ情報を記録領域に記録する記録部と、前記コンテンツ情報を取得すべく外部装置と通信を行う通信部と、前記入力部から前記指示信号を受けると、前記通信部を介して前記外部装置に転送要求を行い前記コンテンツ情報を取得し、前記記録部に記録し、更に読み出して再生するべく制御する制御部とを具備することを特徴とする携帯型記録再生装置である。
【発明の効果】
【０００７】
上記の携帯型記録再生装置においては、外部の電源装置であるクレードルに携帯型記録再生装置を格納した状態で、クレードルに付属しているスイッチ等の操作に応じて生成されたコンテンツ情報の取得を指示する指示信号を入力部を介して受けると、これに応じて、通信部を介してコンテンツ情報を取得するべく制御するものである。
【０００８】
このような携帯型記録再生装置においては、一般にオーディオ情報を再生するための携帯型であるため、ユーザは、外出から戻ると、携帯型記録再生装置を充電させるためクレードルに格納することとなる。この時、ユーザにとって最も容易で判りやすい操作が、クレードルに付属しているスイッチを押下することであり、クレードルにおいては、このスイッチを設けておき、更に、携帯型記録再生装置では、スイッチ押下に応じて生成される指示信号を受ける入力部を設けておき、指示信号に応じて、例えば、ＵＳＢで中継されたＰＣ等の例えば、ＣＤドライブ、又は、ハードディスクの所定のディレクトリにアクセスして、オーディオ情報等を取得することが好適である。
【０００９】
ここで、取得先や記録先のディレクトリは、予め、携帯型記録再生装置で設定しておくか、ＰＣ側で設定しておくことにより、ユーザの操作としては、クレードルのスイッチを押下するだけで、例えば、ＰＣのＣＤドライバ内に格納されたＣＤ上のオーディオ情報が、自動的に、携帯型記録再生装置に内蔵した例えばハードディスクの所望のディレクトリに転送されることとなる。更に、複数のスイッチを設けることで、例えば、一方はハードディスクの所望のディレクトリ、一方はＣＤドライブとすることで、オーディオ情報等の転送操作は一層容易となるものである。
【発明を実施するための最良の形態】
【００１０】
以下、この発明の実施の形態について図面を参照して詳細に説明する。
【００１１】
＜本発明の一実施形態である記録再生装置＞
以下、図面を参照して本発明の実施形態である記録再生装置について詳細に説明する。図１は、本発明の一実施形態に係る携帯型記録再生装置とクレードルとＰＣとの構成の一例を示すブロック図、図２は、同じく携帯型記録再生装置とクレードルとＰＣとの一例を示す外観図、図３は、同じく携帯型記録再生装置とクレードルとＰＣとの構成の一例を示す外観図、図４は、同じく携帯型記録再生装置とクレードルとＰＣとの構成の他の一例を示すブロック図である。
【００１２】
本発明の一実施形態である携帯型記録再生装置Ｇは、図１乃至図３において、映像・音声入力部２１と映像・音声出力部２８とに接続される映像・音声処理集積素子３１と、これに接続される中央処理装置であり制御部であるＣＰＵ２４と、これに接続される記憶領域であるＲＡＭ１１と、同様にＣＰＵ２４に接続されるハードディスク２５と、同様にＣＰＵ２４に接続される内蔵される記憶領域であるフラッシュメモリ３２と、コンテンツ情報の暗号処理を行う暗号部４０と、同様にＣＰＵ２４に接続される操作情報等を表示する液晶表示部３０と、同様にＣＰＵ２４に接続される操作スイッチ２９と、ＵＳＢ制御部３３と、ＵＳＢ端子３７と、電源部３５とを有している。
【００１３】
マイクロプロセッサ２４には、この携帯型記録再生装置Ｇの音声録音や映像記録、音声・映像再生又は動作電源オフ等の操作入力用のスイッチを有した操作スイッチ２９と、この操作スイッチ２９からの入力に応じて、携帯型記録再生装置Ｇの動作状態を示す液晶表示部３０が接続されている。
【００１４】
又、Ａ／Ｄ回路２２、符号化圧縮回路２３、復号化伸張回路２６、及びＤ／Ａ回路２７は、１チップの映像・音声処理集積素子（以下、映像・音声処理ＩＣという）３１で構成されている。
【００１５】
又、携帯型記録再生装置Ｇは、更に、ＣＰＵ２４に接続された、例えばブルートゥース（Bluetooth）等の近距離無線通信のインタフェースである無線通信部１２を有している。ここで、ブルートゥース（Bluetooth）とは、１０ｍ程度の近距離無線通信のインタフェース規格であり、最大通信速度は１Ｍビット／秒であって、ＩＥＥＥ８０２．１１ｂ方式無線ＬＡＮと同じ２．４ＧＨｚ帯の周波数を使うものである。
【００１６】
又、無線通信部１２は、ブルートゥースに限らず、同等の近距離無線通信であればよく、例えば、ＵＷＢ規格，赤外線通信規格、無線ＬＡＮ（ＩＥＥＥ８０２．１１ｂ）規格等の規格が好適であるがこれらに限るものではない。
【００１７】
又、クレードルＣに格納される際に、電気的な接続端子として、Ｓｙｎｃスイッチ４４からの第１取得指示信号と、Ｒｉｐｒｅｃスイッチ４５からの第２取得指示信号とを受ける入力端子３６と、映像音声出力部２８に接続された映像音声出力端子３９と、電源部３５に接続される電源入力端子３８とを少なくとも有している。
【００１８】
又、電源装置であるクレードルＣは、図１乃至図３において、ＵＳＢ端子３７に接続されるＵＳＢハブ４１を有している。更に、クレードルＣは、ＰＣ等のハードディスク等のディレクトリと、携帯型記録再生装置Ｇのハードディスク２５の所定ディレクトリ等との内容を同じとする転送処理（同期処理）の指示信号のトリガー信号を生成するＳｙｎｃスイッチ４４と、更に、ＰＣ等のＣＤドライブ等の転送処理の指示信号のトリガー信号を生成するＲｉｐｒｅｃスイッチ４５とを有している。更に、クレードルＣは、家庭用交流電流ＡＣ１００Ｖを、例えば、直流のＤＣ１２Ｖ等に変換して、この直流電流を電源入力端子３８を介して携帯型記録再生装置Ｇの電源部（バッテリ）３５に供給する電源部４２を有している。
【００１９】
又、更に、本発明に係る携帯型記録再生装置Ｇは、図１乃至図３に示すように、クレードルＣを介して、パーソナルコンピュータＰＣにＵＳＢケーブル６２等で接続される。ここで、コンテンツ情報を格納している（携帯型記録再生装置Ｇから見て）外部装置であるパーソナルコンピュータＰＣは、一例として、ＣＰＵ、各種動作プログラムを格納するＲＡＭ、ＲＯＭ等を有する制御部５１と、データバスを介して、液晶ディスプレイ等の表示部５２と、オーディオ情報等のコンテンツ情報を格納するハードディスクドライブ５５と、ＣＤ（Compact Disc），ＤＶＤ（Digital Versatile Disc）等の光ディスクドライブ５６と、キーボード等の操作部５７と、ＵＳＢ等のＩ／Ｆ部５４と、イーサネット（登録商標）等のインターネットに接続かのうな通信部５３とを有しており、図４に示すように、ＩＥＥＥ８０２．１１ｂ等の無線ＬＡＮＩ／Ｆ部５８を有していることも好適である。
【００２０】
又、電源装置であるクレードルＣは、図４に示すように、内部にアンプ部４６や、ＣＰＵやＲＯＭ等を有する制御部４５、無線ＬＡＮＩ／Ｆ部４７等をもつ構成であることも好適である。この際は、例えば、同期処理や転送処理の指示信号を、携帯型記録再生装置Ｇに転送することなく、直接、ＰＣ等に要求して、コンテンツ情報を取得することも可能となる。
【００２１】
本発明に係る携帯型記録再生装置Ｇは、このような構成により、以下のように再生処理を行う。携帯型記録再生装置Ｇは、基本的に初期設定として与えられた動作モードに応じて、上述した操作スイッチ２９から与えられた操作情報に従って、このマイクロプロセッサ２４の制御下において、ハードディスク２５又は内蔵されたフラッシュメモリ３２から読み出されたデジタル符号化圧縮データが、復号化伸張回路２６でデータ伸張され、復号化してデジタル映像・音声信号に変換される。この復号化伸張回路２６で生成されたデジタル映像・音声信号は、デジタル／アナログ変換回路（以下、Ｄ／Ａ回路という）２７でアナログ映像・音声信号に変換され、増幅回路とスピーカ又はディスプレイから構成される映像・音声出力回路２８へと供給されることで、再生処理がなされるものである。
【００２２】
又、更に、本発明に係る記録再生装置である携帯型記録再生装置Ｇは、基本的に初期設定として与えられた動作モードに応じて記録処理を行うものである。すなわち、上述した操作スイッチ２９から与えられた操作情報に従って、ＵＳＢ端子３７（又は映像音声入力部２１等）を経由して取得したデジタルコンテンツ情報（映像音声入力部２１等経由の際はアナログコンテンツ情報）を、例えば、暗号部４０で暗号化して、ハードディスク２５や、フラッシュメモリ３２へと記録する。又、これらの処理における操作情報は、携帯型記録再生装置Ｇに設けられた操作スイッチ２９（リモコン含む）らユーザの操作により与えられるものであるが、後述するように、ＵＳＢ端子４５や無線通信部１２を介して、クレードルやＰＣ等から与えられるものであってもよい。
【００２３】
又、更に、本発明に係る記録再生装置である携帯型記録再生装置Ｇは、基本的に初期設定として与えられた動作モードに応じて再生処理を行うものである。すなわち、上述した操作スイッチ２９から与えられた操作情報に従って、他に、ハードディスク２５又は内蔵されたフラッシュメモリ３２から読み出されたデジタルデータ等を対照として編集処理等を行うことも可能である。又、これらの処理における操作情報は、携帯型記録再生装置Ｇに設けられた操作スイッチ２９（リモコン含む）からユーザの操作により与えられるものであるが、後述するように、ＵＳＢ端子４５や無線通信部１２を介して、クレードルやＰＣ等から与えられるものであってもよい。
【００２４】
＜クレードルのスイッチに応じた同期処理・転送処理＞
次に、クレードルのスイッチに応じた同期処理・転送処理をフローチャートを用いて説明する。図５は、本発明の一実施形態に係る携帯型記録再生装置のハードディスクとの同期処理の一例を示すフローチャート、図６は、同じく携帯型記録再生装置の光ディスクからの転送処理の一例を示すフローチャート、図７は、同じく携帯型記録再生装置のハードディスクとの同期処理の他の一例を示すフローチャート、図８は、同じく携帯型記録再生装置の光ディスクからの転送処理の他の一例を示すフローチャートである。
【００２５】
・同期処理
本発明に係る携帯型記録再生装置Ｇは、例えば、クレードル等に付属したＳｙｎｃスイッチ４４等を用いて、ＵＳＢ等で接続されたＰＣ等の記録装置のハードディスクドライブ５５の所定ディレクトリと、携帯型記録再生装置Ｇのハードディスク５５等の所定ディレクトリとの間で転送処理を行うものであり、更に、比較処理の末に同一内容とするべく同期処理を行うものである。以下に、その処理手順をフローチャートを用いて説明する。
【００２６】
携帯型記録再生装置Ｇにおいて、図５のフローチャートにおいて、初めに、携帯型記録再生装置ＧをクレードルＣに格納し、起動状態において、ユーザの操作により、クレードルＣの同期スイッチ４４を押下する（Ｓ１１）。これにより、クレードルＣから、入力端部３６を経由して、携帯型記録再生装置Ｇの本体に、転送要求信号が供給される（Ｓ１２）。そして、携帯型記録再生装置Ｇにおいては、ＣＰＵ２４等の判断により、パーソナルコンピュータＰＣに、ＵＳＢ制御部３３及びＵＳＢ端子３７、ＵＳＢハブ４１、ＵＳＢケーブル６２を経由して、パーソナルコンピュータＰＣに転送要求を行う（Ｓ１３）。
【００２７】
これに応じて、パーソナルコンピュータＰＣでは、受信プログラムが転送要求を受信し（Ｓ１４）、受信プログラムが転送プログラムを起動する（Ｓ１５）。次に、設定ファイルから、転送元となるハードディスクドライブ５５上のディレクトリを取得する（Ｓ１６）。なお、この同期処理や後述する転送処理の際のディレクトリは、パーソナルコンピュータＰＣや携帯型記録再生装置Ｇの操作により、予め、設定しておくか、初期設定により、適切なディレクトリが指定されていることが好適である。
【００２８】
ここで、ハードディスクドライブ５５上のディレクトリに、オーディオ情報があれば（Ｓ１７）、両者のディレクトリの内容や日付を比較し、不一致のコンテンツ情報につき、指定ディレクトリから携帯型記録再生装置に、ＵＳＢ等を経由してオーディオ情報等のコンテンツ情報の転送を行う（Ｓ１８）。そして、転送終了後、パーソナルコンピュータＰＣから携帯型記録再生装置Ｇにオーディオ情報転送終了を通知する（Ｓ１９）。更に、携帯型記録再生装置Ｇにおいては、このオーディオ情報（コンテンツ情報）を例えば、暗号部４０で暗号化して、ハードディスク２５に格納する（Ｓ２０）。又、携帯型記録再生装置ＧのＣＰＵ２４は、適宜、これを読み出し再生信号を復号化・伸張処理して、映像音声出力部２８や映像音声出力端子３９等から出力する。この時、図１及び図４にクレードルに示すように、接続コードを接続して、外部スピーカＳから音声を再生することも好適である。
【００２９】
本発明に係る携帯型記録再生装置Ｇによれば、このように、クレードルＣ等からの操作によって、パーソナルコンピュータ等へコンテンツ情報等の転送指示を行うため、ユーザは非常に容易で直感的に現在のハードディスクのオーディオ情報等の構成を、携帯型記録再生装置Ｇであるプレーヤへ、瞬時に転送が可能となるものである。
【００３０】
又、ここで、図７のフローチャートに示すように、図４に示す制御部４５等を有しており、判断機能をもったクレードルＣであれば、ステップＳ４１に述べるように、Ｓｙｎｃスイッチ４４からの転送指示（同期指示）を、携帯型記録再生装置Ｇに戻すことなく、自身で判断して、ＵＳＢケーブル６２や、無線ＬＡＮ等の通信機能を用いて、パーソナルコンピュータＰＣへ、転送指示を行うことも好適である。
【００３１】
・転送処理
又、更に、本発明に係る携帯型記録再生装置Ｇは、例えば、クレードルＣ等に付属したＲｉｐｒｅｃスイッチ４５を用いて、ＵＳＢ等で接続されたＰＣ等の記録装置の光ディスクドライブに格納されたＣＤ（又は動画であればＤＶＤ）のオーディオ情報等のコンテンツ情報を、ハードディスクドライブ２５の所望のディレクトリへと容易に転送処理を行うものである。以下に、その処理手順をフローチャートを用いて説明する。
【００３２】
携帯型記録再生装置Ｇにおいて、図６のフローチャートにおいて、初めに、携帯型記録再生装置ＧをクレードルＣに格納し、起動状態において、ユーザの操作により、クレードルＣの転送スイッチであるＲｉｐｒｅｃスイッチ４５を押下する（Ｓ３１）。これにより、クレードルＣから入力端部３６を経由して、携帯型記録再生装置Ｇの本体に転送要求信号が供給される（Ｓ３２）。そして、携帯型記録再生装置Ｇにおいては、ＣＰＵ２４等の判断により、パーソナルコンピュータＰＣに、ＵＳＢ制御部３３及びＵＳＢ端子３７、ＵＳＢハブ４１、ＵＳＢケーブル６２を経由して、パーソナルコンピュータＰＣに転送要求を行う（Ｓ３３）。
【００３３】
これに応じて、パーソナルコンピュータＰＣでは、受信プログラムが転送要求を受信し（Ｓ３４）、受信プログラムが転送プログラムを起動する（Ｓ３５）。次に、ＣＤ−ＲＯＭドライブ等（ＤＶＤドライブ等も同様に可能）５６にオーディオ情報等のコンテンツ情報があれば（Ｓ３６）、ＣＤ−ＲＯＭドライブ５６等の指定ディレクトリからオーディオ情報をリッピングして、携帯型記録再生装置にＵＳＢ等を経由して転送を行う（Ｓ３７）。そして、転送終了後、パーソナルコンピュータＰＣから携帯型記録再生装置Ｇにオーディオ情報転送終了を通知する（Ｓ３８）。更に、携帯型記録再生装置Ｇにおいては、このオーディオ情報（コンテンツ情報）を例えば、暗号部４０で暗号化して、ハードディスク２５に格納する（Ｓ３９）。又、携帯型記録再生装置ＧのＣＰＵ２４は、適宜、これを読み出し再生信号を復号化・伸張処理して、映像音声出力部２８や映像音声出力端子３９等から出力する。
【００３４】
本発明に係る携帯型記録再生装置Ｇによれば、このように、クレードルＣ等からの操作によって、パーソナルコンピュータ等へコンテンツ情報等の転送指示を行うため、上記した同期処理と同様に、ユーザは非常に容易で直感的にＣＤやＤＶＤのオーディオ情報やビデオ情報を、携帯型記録再生装置Ｇであるプレーヤへ、瞬時に転送が可能となるものである。
【００３５】
又、ここで、図８のフローチャートに示すように、図４に示す制御部４５等を有しており、判断機能をもったクレードルＣであれば、ステップＳ４１に述べるように、Ｒｉｐｒｅｃスイッチ４５からの転送指示を、携帯型記録再生装置Ｇに戻すことなく、自身で判断して、ＵＳＢケーブル６２や無線ＬＡＮ等の通信機能を用いて、パーソナルコンピュータＰＣへ転送指示を行うことも好適である。
【００３６】
（他の実施形態）
又、上記の実施形態に対して、以下に示すような実施形態が更に可能となる。  
すなわち、上記の実施形態での同期処理や転送処理は、必ずしもクレードルＣに設けられたスイッチにより行われる必要はなく、例えば、携帯型記録再生装置Ｇの本体に設けられたスイッチを押下する（専用のスイッチもよいが、複数のスイッチを押すことで代行も可能）ことにより、それぞれの処理が行われることも可能である。
【００３７】
又、ＵＳＢ等のコンテンツ情報の通信路は、必ずしも、クレードルＣのＵＳＢハブ４１等を経由する必要はなく、直接、携帯型記録再生装置ＧとパーソナルコンピュータＰＣとをケーブルや無線で接続させることも可能である。
【００３８】
又、更に、パーソナルコンピュータＰＣが通信部５３を経由して、インターネットに接続されている場合において、リッピングするＣＤからアルバム情報を取得し、これに応じてインターネットを経由して曲情報やアーティストの情報等又は画像を取得し、オーディオ情報と併せて携帯型記録再生装置Ｇに転送することが好適である。
【００３９】
又、更に、コンテンツ情報は、上述したようにオーディオ情報に限らず、ビデオ情報やその他のアプリケーション情報であっても同様に転送が可能である。この場合は、リッピングの対象は、ＣＤに限らず、ＤＶＤやその他の記録媒体を対象とすることが好適である。
【００４０】
又、パーソナルコンピュータＰＣには、記録媒体を内蔵するか、着脱可能な記録媒体に格納されたオーディオ情報の再生機能を持つ携帯型記録再生装置Ｇに専用の受信及び送信プログラムがインストールされ、これを用いることが好適である。
【００４１】
又、更に、これらの同期処理や転送処理においては、例えばＣＤからのリッピングの場合、ＣＤＤＢからのタグ情報の取得、ＰＣ上でのリッピング、リッピング完了後のＰＤへの転送など複数の処理がある。従って、同期処理や転送処理において、これらの複数の工程がどこまで進行しているかを携帯型記録再生装置Ｇにその都度通知し、液晶表示部３０に作業の工程を通知することが好適である。
【００４２】
この場合、携帯型記録再生装置ＧとパーソナルコンピュータＰＣのソフトの間でコマンドをやり取りし、ＰＣソフトは携帯型記録再生装置Ｇに対して、現在のステータスを返すような仕組みにする。これにより携帯型記録再生装置Ｇ側は例えば何曲目のリッピングをしているとか、携帯型記録再生装置Ｇへの転送中なのかといったことをユーザに知らせることが可能である。
【００４３】
いくつかの処理を順に行う場合、ＵＳＢ接続を切断しても問題ない状態（例えばＰＣでのリッピング中）と、切断するとデータの破損などが起こる状態（ＰＤへのファイル転送中）との状態があるので、現在の進行状況に応じてＰＤ上の表示装置に切断しないよう警告を出すことも好適である。
【００４４】
又、実施形態では、転送路としてＵＳＢを取り上げたがもちろん、ＩＥＥＥ１３９４、有線ＬＡＮ、無線ＬＡＮなどを使用することも可能である。
【００４５】
又、ＣＤからリッピングする場合にパーソナルコンピュータＰＣに複数のＣＤ−ＲＯＭドライバが接続され、それぞれにオーディオＣＤが入っている場合もありうるので、この場合、パーソナルコンピュータＰＣ側でのリッピングを行うソフト上において、ＣＤ−ＲＯＭドライブ（ここでは、オーディオＣＤが読めるドライブを意味するので、ＤＶＤ−ＲＯＭドライブや、その他記録型ＣＤ又はＤＶＤドライブも含む）の検索順を求めて表示することも好適である。
【００４６】
この場合、一例として、検索順が早くかつ、オーディオＣＤが入っているドライブからリッピングを行う、又はパーソナルコンピュータＰＣに接続されているドライブにある全てのオーディオＣＤのデータを検索順の順番で全てリッピングするという方針に応じて、転送処理等を行うことが好適である。
【００４７】
又、更に、携帯型記録再生装置Ｇに対しては、プレーヤが複数接続されている場合も考えられる。この場合もパーソナルコンピュータＰＣ側の転送ソフトにおいて、転送要求が来た場合に、その転送要求が来たデバイスを記憶しておき、リッピングしたオーディオ情報をそのデバイスに対して転送を行うことが好適となる。
【００４８】
以上のように、本発明に係る携帯型記録再生装置Ｇによれば、コンテンツを要求する操作に対応するインタフェース（例えばスイッチ）を、通常、家庭内での充電やパーソナルコンピュータＰＣとの接続などに使用する電源装置であるクレードルＣに置くことにより、携帯型記録再生装置Ｇ側にこの操作を割り当てるために必要なボタン等の物理的なインタフェース又は、物理的なインタフェースの操作の組合せ（例えば、複数のキーの押下、又は複数のキーの連続押しの組合せなど）などを追加することなく、容易に本機能の追加ができ、又、更に、携帯型オーディオプレーヤの操作性を損なわず、部品点数の増加による筐体の大型化も避けることができる。又、複数のボタンを用意することにより、パーソナルコンピュータＰＣ上のいずれのデータを転送するかの機能をそれぞれ別に設定することも更に好適である。
【００４９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５０】
【図１】本発明の一実施形態に係る携帯型記録再生装置とクレードルとＰＣとの構成の一例を示すブロック図。
【図２】本発明の一実施形態に係る携帯型記録再生装置とクレードルとＰＣとの一例を示す外観図。
【図３】本発明の一実施形態に係る携帯型記録再生装置とクレードルとＰＣとの構成の一例を示す外観図。
【図４】本発明の一実施形態に係る携帯型記録再生装置とクレードルとＰＣとの構成の他の一例を示すブロック図。
【図５】本発明の一実施形態に係る携帯型記録再生装置のハードディスクからの転送処理の一例を示すフローチャート。
【図６】本発明の一実施形態に係る携帯型記録再生装置の光ディスクからの転送処理の一例を示すフローチャート。
【図７】本発明の一実施形態に係る携帯型記録再生装置のハードディスクからの転送処理の他の一例を示すフローチャート。
【図８】本発明の一実施形態に係る携帯型記録再生装置の光ディスクからの転送処理の他の一例を示すフローチャート。
【符号の説明】
【００５１】
Ｇ…携帯型記録再生装置、２２…アナログ／デジタル変換回路、２３…符号化圧縮回路、２４…ＣＰＵ、２５…メモリカード、２６…復号化伸張回路、２７…デジタル／アナログ変換回路、２９…操作スイッチ、３０…液晶表示部、３１…映像・音声処理ＩＣ、３２…フラッシュメモリ、３３…ＵＳＢ端子、３４…ＵＳＢコントローラ、３５…電源部。
【図１】
2006114120.tif 000003
【図２】
2006114120.tif 000004
【図３】
2006114120.tif 000005
【図４】
2006114120.tif 000006
【図５】
2006114120.tif 000007
【図６】
2006114120.tif 000008
【図７】
2006114120.tif 000009
【図８】
2006114120.tif 000010